(57)【要約】      （修正有）【課題】熱感知離脱装置とホットメルト回路オフ装置を備えたダブル温度感知及び電気切断を行う回路保護構造を提供する。【解決手段】過電流、回路過熱、或いは環境温度過熱が発生すると、熱感知離脱装置２０の接触弾力片２１は熱を受けて反対方向に湾曲して離脱し、電気切断（オフ）する。当該熱感知離脱装置２０が無反応、反応の遅延、或いは電気切断（オフ）、通電（オン）の繰り返しにより電気回路の温度が継続的に上昇した場合は、ホットメルト回路オフ装置３０の溶解体３２が熱を受けて溶け、弾性部品３３の付勢力で導電体３１と第二端子３４の電気回路が非連結となり、電気切断（オフ）する。【選択図】図３
2010092745.tif 000002
【特許請求の範囲】
【請求項１】
蓋体、熱感知離脱装置、ホットメルト回路オフ装置、及びベース体を備えるダブル温度感知及び電気切断を行う回路保護構造において、
前記蓋体は導電体であり第一端子に連結し、
前記熱感知離脱装置は、接触弾力片と導電連結部を備え、前記接触弾力片は弾力性のある金属片体であり湾曲弧状を成し、片体の両側面方向に弾き動かすことが可能であり、前記接触弾力片は、熱を受けた時、変形して反対方向に湾曲し別の一方側方向に弾き出され、前記接触弾力片の一端は前記蓋体に固定結合され、前記接触弾力片の非固着端には第一導電点を設け、前記導電連結部は概ね板片状を成し、その上面側には第二導電点を設置し、前記第二導電点は、前記第一導電点に対応し、
前記ホットメルト回路オフ装置は、導電体、溶解体を備え、前記導電体は、概ね弾力性のある片体状であり、その一端と前記熱感知離脱装置の導電連結部は固定接触して電気連結しており、前記導電体の別の一端は非固着端であり、前記溶解体は、前記導電体を圧している故、前記導電体の非固着端は第二端子に接触し電気連結し、前記導電体は前記溶解体によって圧せられている為、前記導電体本体は、非固着端と第二端子を分離させる弾力性を備え、
前記ベース体には内設溝を備え、前記導電連結部、前記導電体、前記溶解体を内設溝内に嵌設しており、
通常状態において、前記熱感知離脱装置の接触弾力片の第一導電点と第二導電点は接触を保ち、電気回路オン状態を形成し、
過電流、回路過熱、もしくは使用する環境温度過熱が発生した時、前記熱感知離脱装置の接触弾力片は熱を受けて変形し反対方向に湾曲して弾き出されることにより、第一導電点と第二導電点が分離する為、回路はオフ状態となり、接触弾力片が冷卻した後、再度変形を起こし反対方向に湾曲し、第一導電点と第二導電点が接触する為、回路はまた連結してオン状態となり、
更に、過電流、回路過熱、もしくは環境温度過熱が発生した場合において、熱感知離脱装置が即時に、または離脱電気切断（オフ）しない時は、ホットメルト回路オフ装置の溶解体は、熱を継続して受けて温度を上昇させ、設定温度に達すると、溶けて破砕、導電体自身の弾力性によって、非固着端と第二端子を分離させ、回路は完全電気切断（オフ）状態を形成することを特徴とするダブル温度感知及び電気切断を行う回路保護構造。
【請求項２】
前記熱感知離脱装置の接触弾力片は複合金属薄片であることを特徴とする請求項１記載のダブル温度感知及び電気切断を行う回路保護構造。
【請求項３】
前記ダブル温度感知及び電気切断を行う回路保護構造は更に、
熱感知離脱装置に弾性部品を設け、
ベース体には組合せ溝を設け、
弾性部品の一端はベース体の組合せ溝に嵌設、弾性部品は圧縮され、別の一端は導電体を圧し、弾力回復力によって前記導電体を押圧し、導電体の非固着端と第二端子を分離させる弾力を強化することを特徴とする請求項１記載のダブル温度感知及び電気切断を行う回路保護構造。
【請求項４】
前記ホットメルト回路オフ装置の弾性部品は螺旋状のバネであることを特徴とする請求項３記載のダブル温度感知及び電気切断を行う回路保護構造。
【請求項５】
前記ベース体の側面エッジには挟み溝を設け、前記第二端子はベース体の挟み溝内に挟み込まれて固定することを特徴とする請求項１記載のダブル温度感知及び電気切断を行う回路保護構造。
【発明の詳細な説明】
【技術分野】
【０００１】
本発明は、ダブル温度感知及び電気切断を行う回路保護構造に関するものであり、電気回路に熱感知離脱装置とホットメルト回路オフ装置を設置し、二つの独立作動する温度感知電気切断装置を形成する。過電流、回路過熱、或いは環境温度過熱の発生時、熱感知離脱装置が通電回復が可能な臨時的な電気切断状態を形成するか、更にホットメルト回路オフ装置の溶解体が溶け破砕することによって、永久的な回路切断（オフ）状態を形成する。
【背景技術】
【０００２】
電力を使うことは現代の社会において不可欠なことであり、生活環境は各種電器製品や装置によって取り巻かれている。特にパソコン化、情報化される産業、家庭、交通、教育、娯樂等は電気なしには成立不可能である。これに対し、安全に電気を使うことは現代人にとり注意せずにおれない問題である。
【０００３】
一般的に言えば、電気を供給する電気回路全体には電源を制御する総合スイッチを設置し、通常は総合スイッチを通電（オン）状態にし、その上にヒューズ或いは電気切断器を設置しており、電気回路中に使用する電気製品が多過ぎて過電流、回路短絡、回路過熱等の状況が発生すると、ヒューズが溶けて切れるか電気切断器が離脱して電気回路全体がオフ（オフ）状態となる。
【０００４】
また、電気回路全体には個別の電気回路があり、電気回路には更に制御スイッチを別に設けている。スイッチは主に個別の電流回路の通電（オン）及び電気切断（オフ）の二つの作動工程を実施するものである。電気使用の安全性を強化する為、多くのスイッチにはまた過電流過熱時に自動的に離脱電気切断する機能を備えており、これにより過電流時において全電気回路のヒューズ或いは電気切断器が即時反応せず電気切断或いは離脱ができずに発生する電線発火の危険を防止する。
【０００５】
前述の全電気回路及び個別回路は、ヒューズ・電気切断器・スイッチを利用した過電流過熱による自動離脱、電気切断構造の外、例えば、価格の高い電子製品、データ処理の情報装置もしくは使用電量の比較的高い電熱器具等の一部の単一電子、電器製品には個別に、温度感知電気切断器の回路保護構造が備えてある。単一電子、電器製品を守る為に、単一電子、電器製品自体に過電流、回路過熱が発生した場合には、即刻感知電気切断し、製品本体の燃焼を防ぐ。同時にまた、単一電子、電器製品の問題によって個別の電気回路、全電気回路の過電流、過熱状況が引き起こされて、回路、全電気回路におけるその他の電気使用装置の作動が不可能となる欠点を防止することが可能である。
【０００６】
単一電子製品に使用する従来の温度感知電気切断保護装置は、図１〜図２に示す通りであり、それは回路中に接触弾力片１０１を設け、接触弾力片１０１は湾曲状であり、熱を受けると変形して反対方向に湾曲し離脱する。接触弾力片の一端は、第一端子１０２に固着し、接触弾力片１０１の別の一端は非固着端とし、非固着端には第一導電点１０３を組み合わせる。第二端子１０４には第二導電点１０５を固着し、第二導電点１０５を第一導電点１０３に対応させる。実際に使用する場合、接触弾力片１０１が第二端子１０４方向に湾曲していると、接触弾力片１０１の非固着端の第一導電点１０３と第二端子１０４の第二導電点１０５は接触して回路が繋がる状態となる。図１に示す通り、過電流である場合、接触弾力片１０１は熱を受けて変形し反対方向に湾曲して弾き出されることにより、接触弾力片１０１の非固着端の第一導電点１０３と第二導電点１０５は分離し、回路切断（オフ）状態を形成、図２に示す通り、電子製品本体回路の燃焼防止が確実に可能となる。しかしながら、従来の温度感知電気切断保護器には、やはり下記のような欠点がある。
【０００７】
（ａ）接触弾力片１０１の製作時、各接触弾力片１０１の厚み、湾曲度、及び構造特性を完全に同じにすることを確保できない。よって、接触弾力片１０１が熱を受けて変形し反対方向に弾き出される時の反応温度値を効果的に制御することは難しく、設定感知温度値の誤差が比較的大きくなる。
（ｂ）接触弾力片１０１が熱を受けて変形し反対方向に弾き出される敏捷度が高くなく、電子製品が過電流過熱を起こした場合の保護を即刻行えない。
（ｃ）接触弾力片１０１は即時離脱電気切断が不可能であるか離脱が不完全であることにより、回路は依然として電流導電状態のまま過熱を続け、電子製品及び全回路に対する危険を引き起こす。
【０００８】
過電流・回路過熱が発生した場合、もし接触弾力片１０１が半離脱状態であり、接触弾力片１０１が冷卻した時にまた元に戻り通電状態となり、通電・電気切断が繰り返されるなら、発火を起こし危険である。また、全電流回路中の電子、電器装置は通電・電気切断を繰り返すと、電流不安定となり、作動ストップや不正常作動を引き起こし、使用寿命を縮め、結果として完全な損害に至る。
【発明の開示】
【発明が解決しようとする課題】
【０００９】
本発明は、従来の温度感知電気切断保護器において一つの接触弾力片だけが温度感知する離脱電気切断装置であること、電気切断の感知温度値を効果的に設定できないこと、並びに、過電流過熱時、接触弾力片の即時離脱不可能・離脱の不完全・弾き出し不可能が発生した場合に、回路が継続的に導電或いは通電・電気切断を繰り返すことにより発火が発生したり、電流不安定により電子製品の作動ストップ、非正常運転、或いは使用寿命の短縮が引き起こされたりして、結果として完全な損失に至ってしまう等の各種問題を解決する。
【課題を解決するための手段】
【００１０】
ダブル温度感知及び電気切断を行う回路保護構造は、蓋体、熱感知離脱装置、ホットメルト回路オフ装置、及びベース体により構成される。前記蓋体は導電体であり第一端子に連結する。前記熱感知離脱装置は、接触弾力片と導電連結部を備え、前記接触弾力片の一端は蓋体内側に固定結合し非固着端には第一導電点を設け、前記導電連結部には第二導電点を設置し前記第一導電点に対応させる。前記ホットメルト回路オフ装置は、導電体、溶解体を備え、前記導電体の一端を導電連結部に連結すると溶解体は導電体を圧し、導電体の別の一端（非固着端）は第二端子に可動状態で接触する。導電連結部、導電体、及び溶解体はベース体に配置する。過電流、過熱、もしくは環境温度過熱が発生すると先ず、熱感知離脱装置の離脱、電気切断（オフ）により温度が下降した後、回路連結（オン）状態を自動回復する。また、過電流、過熱、もしくは環境温度過熱が発生し、且つ、熱感知離脱装置が即時離脱もしくは離脱電気切断（オフ）ができない場合は、ホットメルト回路オフ装置の溶解体は、熱を継続して受けて温度を上昇させ、設定温度に達すると溶けて破砕し、導電体の非固着端と第二端子を分離させることにより、電気回路は完全電気切断（オフ）状態を形成する。
【発明の効果】
【００１１】
本発明は、ダブル温度感知及び電気切断を行う回路保護構造を提供する。その主な目的は、二つの独立する温度感知電気切断設置により、過電流或いは回路過熱時に、各自独立して温度を感知して回路を完全電気切断（オフ）し、ダブル温度感知及び電気切断を行う効果を発揮して電気使用の安全性を確保することにある。
【００１２】
本発明の第二目的は、次のダブル温度感知及び電気切断を行う回路保護構造を提供することにある。それは、過電流、回路過熱、もしくは環境温度過熱が発生すると先ず、熱感知離脱装置の接触弾力片が熱を受け変形して反対方向に湾曲することにより、離脱して電気切断（オフ）状態を形成する故、熱感知離脱装置の溶解体の破砕によって電気回路電気切断（オフ）する必要がない。よって、電気回路過電流の因子を取り除くことができ、接触弾力片が冷却し温度下降した後、通電（オン）状態に再回復する。回路保護構造は継続使用可能であり、回路保護装置を新しく取り付ける必要がなく、時間を節約しユーザーの支出を削減することが可能となる。
【００１３】
本発明の第三目的は、次のダブル温度感知及び電気切断を行う回路保護構造を提供することにある。それは、過電流もしくは回路過熱が発生したが、熱感知離脱装置が無反応もしくは反応が遅かったりして電気切断（オフ）、通電（オン）の繰り返しにより温度が継続上昇した場合であっても、ホットメルト回路オフ装置の溶解体は熱を受けると必ず温度を継続的に上昇させ破砕する特性がある故、溶解体が設定温度の臨界値に達すると溶けて破砕し、回路を完全電気切断（オフ）する。よって、電気使用の安全性を確保し、電気回路中の各種電気製品を保護することが可能となる。
【発明を実施するための最良の形態】
【００１４】
本発明の目的、特徴、及び効果の詳細を開示する為に、具体的な実施例に添付図面を組み合わせて、下記の通り詳細説明を行う。
【００１５】
図３〜図６に、本発明の実施例における立体分解図、立体組立図、平面概略図、組立断面図を示す。それは本発明の実施例における通電（オン）状態図である。本発明のダブル温度感知及び電気切断を行う回路保護構造は、蓋体１０、熱感知離脱装置２０、ホットメルト回路オフ装置３０、及びベース体４０を備える。
【００１６】
前記蓋体１０は導電体であり第一端子１１に連結する。また、前記熱感知離脱装置２０は、接触弾力片２１、及び導電連結部２２を備える。接触弾力片２１は弾力性のある金属片体であり、湾曲弧状を形成する。片体の二側面方向に動くことが可能であり、接触弾力片２１は、熱を受けた時、変形して反対方向に湾曲し別の一方側方向に弾き出される。接触弾力片２１は複合金属薄片とし、接触弾力片２１の一端は、前述蓋体１０の内側に固定結合される。接触弾力片２１の非固着端には、第一導電点２１１を設ける。前記導電連結部２２は概ね板片状を成し、その上面側には第二導電点２２１を設置し、第二導電点２２１は、前記第一導電点２１１に対応する。導電連結部２２には切口溝２２２と、最低一つの結合孔２２３を設ける。
【００１７】
前記ホットメルト回路オフ装置３０は、導電体３１、溶解体３２を備える。前記導電体３１は、概ね弾力性のある片体状であり、その一端（左端）側面エッジに最低二つの突出片３１０を延伸させ、突出片３１０間には挟み溝３１１を備え、突出片３１０と前記熱感知離脱装置２０の導電連結部２２は固定接触して電気が連結する。導電体３１の別の一端は非固着端３１２である。前記溶解体３２は、前記導電体３１を押圧している故、導電体３１の非固着端３１２は第二端子３４に接触し電気連結する。導電体３１は溶解体３２によって押圧されている為、導電体３１本体は、非固着端３１２と第二端子３４を分離させる弾力性を備える。また、溶解体３２と異なる側の導電体３１側面には弾性部品３３を備える。弾性部品３３が圧縮されて弾性回復力によって導電体３１を押し戻し、導電体３１の非固着端３１２と第二端子３４を分離する弾力性を強化する。本実施例において、弾性部品３３は螺旋状バネである。
【００１８】
前記ベース体４０は、内設溝４１を備え、内設溝４１の内側には、棒状突出体４２及び突出部４３を設ける。ベース体４０側面エッジには挟み溝４４を設ける。また、内設溝４１側面壁には凹溝４５を連結し、凹溝４５の対面には組合せ溝４６を設ける。組合せ溝４６の側面は比較的小さい開口である。
【００１９】
組立てる時は図５に示す通りであり、導電連結部２２の切口溝２２２及び結合孔２２３をそれぞれ、ベース体４０内設溝４１の突出部４３及び棒状突出体４２に対応させる。また、導電体３１の二つの突出片３１０間の挟み溝３１１によって対応する内設溝４１の突出部４３を挟み込むことにより、導電連結部２２、導電体３１は内設溝４１中に嵌合される。第二端子３４はベース体４０の挟み溝４４に挟み込まれて固定し、更に溶解体３２はベース体４０の凹溝４５内に嵌入される。溶解体３２が導電体３１を圧する故、導電体３１の非固着端３１２は、弾力的に第二端子３４に接触する。また、弾性部品３３の一端はベース体４０の組合せ溝４６に組み合わせて、弾性部品３３の別の一端は導電体３１の上側を圧しているが、圧縮した弾性部品３３が弾性回復力を生じさせて導電体３１の上部を押圧すると、導電体３１の非固着端３１２と第二端子３４は分離する。
【００２０】
本発明は通常状態において、熱感知離脱装置２０の接触弾力片２１は常に下向きに湾曲しており、接触弾力片２１の第一導電点２１１と導電連結部２２の第二導電点２２１の接触を保ち、電流は第一端子１１から、蓋体１０、接触弾力片２１、第一導電点２１１、第二導電点２２１、導電連結部２２、突出片３１０、導電体３１、非固着端３１２を経て第二端子３４まで流れ電気回路オン状態を形成する。これは図５及び図６に示す通りである。
【００２１】
過電流、回路過熱、或いは使用する環境温度過熱の発生時、熱感知離脱装置２０は、臨時的に離れて電気切断（オフ）状態を生じさせ、温度下降後は、回路連結（オン）状態を自動回復する。即ち、熱感知離脱装置２０の接触弾力片２１が熱を受けて変形し反対方向に湾曲（上方向）して離脱すると、第一導電点２１１と第二導電点２２１が分離する為、回路はオフ状態となる。これは図７に示す通りである。熱感知離脱装置２０の接触弾力片２１が冷卻した後、再度変形を起こし反対方向に湾曲（下方向）して動き、第一導電点２１１と第二導電点２２１が接触する為、回路は連結してオン状態となる。これは図６に示す通りである。
【００２２】
更に、過電流、回路過熱、或いは環境温度過熱の発生時において、熱感知離脱装置２０の接触弾力片２１が即時に、または熱を受けても変形せず反対方向に湾曲（上方向）せず離脱電気切断（オフ）しない場合は、ホットメルト回路オフ装置３０の溶解体３２が継続して熱を受けて温度を上昇させ、設定温度に達すると、溶解体３２は溶けて割れ、破砕体３２’となる。これは図８に示す通りであり、導電体３１自身の弾力性によって、非固着端３１２と第二端子３４が分離し、回路の完全電気切断（オフ）状態を形成する。本実施例においては、弾性部品３３の弾力で導電体３１を圧し非固着端３１２と第二端子３４を強制的に分離させ、回路の完全電気切断（オフ）状態を確保し、通電（オン）状態には回復させない。
【００２３】
本発明は、過電流、回路過熱、或いは環境温度過熱の発生時、先ず、熱感知離脱装置２０の接触弾力片２１が熱を受けて変形し反対方向に湾曲離脱して電気切断（オフ）状態を形成する。熱感知離脱装置２０が無反応、反応の遅れ、或いは電気切断（オフ）・通電（オン）の繰り返しによる温度の継続上昇が発生した場合は、更に、ホットメルト回路オフ装置３０の溶解体３２が溶け破砕する。これにより、導電体３１自身の弾力及び導電体３１が弾性部品３３により強制的に圧せられ、導電体３１の非固着端３１２と第二端子３４は分離し、電気回路は完全に電気切断されてオフ状態となり、電気回路は通電（オン）状態に再度戻ることは不可能となる。本発明は、二つの独立する温度感知電気切断設置を備えた、ダブル温度感知及び電気切断を行う回路保護構造であり、回路の完全電気切断（オフ）を確保する効果を有するものである。
【図面の簡単な説明】
【００２４】
【図１】公知技術における通電（オン）状態を示した立体断面図である。
【図２】公知技術における離脱電気切断（オフ）状態を示した立体断面図である。
【図３】本発明の実施例における立体分解図である。
【図４】本発明の実施例における立体組立図である。
【図５】本発明の実施例における蓋体未被冠時の通電（オン）状態平面概略図である。
【図６】本発明の実施例における通電（オン）状態の組立断面図である。
【図７】本発明の実施例における通常状態の離脱電気切断（オフ）状態組立断面図である。
【図８】本発明の実施例における蓋体未被冠時の平面概略図であり、本発明の実施例において過電流である時、熱感知離脱装置が即時離脱しないか離脱電気切断が不可能である場合、ホットメルト回路オフ装置の溶解体が熱を受けて溶けて破碎、回路の完全電気切断（オフ）状態を形成する状況を示す。
【符号の説明】
【００２５】
１０    蓋体
１１    第一端子
２０    熱感知離脱装置
２１    接触弾力片
２１１  第一導電点
２２    導電連結部
２２１  第二導電点
２２２  切口溝
２２３  結合孔
３０    ホットメルト回路オフ装置
３１    導電体
３１０  突出片
３１１  挟み溝
３１２  非固着端
３２    溶解体
３２’  破砕体
３３    弾性部品
３４    第二端子
４０    ベース体
４１    内設溝
４２    棒状突出体
４３    突出部
４４    挟み溝
４５    凹溝
４６    組合せ溝
１０１  接触弾力片
１０２  第一端子
１０３  第一導電点
１０４  第二端子
１０５  第二導電点
【図１】
2010092745.tif 000003
【図２】
2010092745.tif 000004
【図３】
2010092745.tif 000005
【図４】
2010092745.tif 000006
【図５】
2010092745.tif 000007
【図６】
2010092745.tif 000008
【図７】
2010092745.tif 000009
【図８】
2010092745.tif 000010